(57)【要約】【課題】接点ギャップの調整が簡易にできる電磁リレーを提供する。【解決手段】それぞれに第１、第２の固定接点１、２を設けた第１、第２の端子板４、５の間に、可動接点３を設けた可動バネ６を設け、電磁コイル１３ａの励磁、非励磁によって可動バネ６を作動させることで、可動接点３を第１、第２の固定接点１、２に選択的に接触させて、第１、第２の電路を切り換えて閉路するようにした電磁リレーにおいて、可動バネ６には、第１あるいは第２の端子板４、５のすくなくとも一方側に延びる接点ギャップ調整用突出片１０を形成している。【選択図】図１
2006331726.tif 000002
【特許請求の範囲】
【請求項１】
端子板に固定接点、可動バネに可動接点を設け、電磁コイルを励磁あるいは非励磁したときに可動バネを作動させることで、可動接点を固定接点に接触させて電路を閉じるようにした電磁リレーにおいて、
上記可動バネ、上記端子板のすくなくともいずれか一方に、上記固定接点と上記可動接点との開離時における間隔を調整するための接点ギャップ調整用突出片を形成していることを特徴とする、電磁リレー。
【請求項２】
それぞれに第１、第２の固定接点を設けた第１、第２の端子板の間に、可動接点を設けた可動バネを設け、電磁コイルの励磁、非励磁によって可動バネを作動させることで、上記可動接点を第１、第２の固定接点に選択的に接触させて、第１、第２の電路を切り換えて閉路するようにした電磁リレーにおいて、
上記可動バネには、上記第１あるいは第２の端子板のすくなくとも一方側に延びる接点ギャップ調整用突出片を形成していることを特徴とする、電磁リレー。
【請求項３】
それぞれに第１、第２の固定接点を設けた第１、第２の端子板の間に、可動接点を設けた可動バネを設け、電磁コイルの励磁、非励磁によって可動バネを作動させることで、上記可動接点を第１、第２の固定接点に選択的に接触させて、第１、第２の電路を切り換えて閉路するようにした電磁リレーにおいて、
上記第１、第２の端子板のすくなくとも一方には、上記可動バネ側に延びる、接点ギャップ調整用突出片を形成していることを特徴とする、電磁リレー。
【発明の詳細な説明】
【技術分野】
【０００１】
本発明は、接点ギャップを簡易に調整することが可能な電磁リレーに関する。
【背景技術】
【０００２】
図５（ａ）、（ｂ）は、ｃ接点（トランスファー接点）を有した従来の電磁リレーの平面図，正面図である。
【０００３】
この種のリレーでは、２つの電路に対応して設けた２つの固定接点１０１、１０２を個別に設けた２つの端子板１０４、１０５の間に、可動接点１０３、１０３´を設けた可動バネ１０６が配置されており、電磁コイル（不図示）の励磁、非励磁により、作動片１１２を接離し、可動バネ１０６を作動させることで、可動接点１０３、１０３´を２つの固定接点１０１、１０２のいずれかと接触させて、第１、第２の２つの電路の閉路を切り換えるようになっている。
【０００４】
したがって、可動バネ１０６に設けられた一方の可動接点１０３は、電磁コイルが非励磁の状態では、可動バネ１０６の弾性力によって一方の固定接点１０１と接触して、第１の電路を閉路し、第２の電路を開いた状態にあるが、電磁コイルが励磁されると作動片１１２が作動して、その作動片１１２に結合されたバネ可動片１１１が可動バネ１０６を他方の固定接点１０２の端子板１０５側へ押しやるので、可動接点１０３は一方の固定接点１０１から開離し、代わりに可動接点１０３´が他方の固定接点１０２と接触し、第１の電路は開き、第２の電路を閉じる。そして、電磁コイルが再び非励磁になると、もとの状態に戻るので、第２の電路は開き、第１の電路を閉路する。
【０００５】
ところで、このような電磁リレーを正常に接離動作させるためには、可動バネ１０６の弾性力を調整することによって可動接点１０３、１０３´と固定接点１０１、１０２とが開離しているときの間隔、つまり接点ギャップを調整しておく必要がある。なぜなら、この接点ギャップを常に正常な間隔に確保していなければ、リレーオフ時のリバウンドや接点間の耐圧不良が発生する可能性があるからである。
【０００６】
しかしながら、従来は、そのような接点ギャップを調整する目安となるものがなかったため、可動バネを設計通りの接点ギャップを維持する位置に保持することがきわめて困難になっている。
【０００７】
なお、特許文献１には、可動バネに位置規制壁に当接させるストッパを設けて、固定接点との接触規制を図った端子構造が記載されているが、このものは接点間の接触動作を規制するものであって、あらかじめ接点ギャップを調整することを目的としたものではない。
【特許文献１】特開２０００−３２３００１号公報
【発明の開示】
【発明が解決しようとする課題】
【０００８】
本発明は、このような事情を考慮して提案されたもので、その目的は、接点ギャップの調整が簡易にできる電磁リレーを提供することにある。
【課題を解決するための手段】
【０００９】
上記目的を達成するために、請求項１に記載の電磁リレーは、端子板に固定接点、可動バネに可動接点を設け、電磁コイルを励磁あるいは非励磁したときに可動バネを作動させることで、可動接点を固定接点に接触させて電路を閉じるようにした電磁リレーにおいて、可動バネ、端子板のすくなくともいずれか一方に、固定接点と可動接点との開離時における間隔を調整するための接点ギャップ調整用突出片を形成していることを特徴とする。
【００１０】
請求項２に記載の電磁リレーは、それぞれに第１、第２の固定接点を設けた第１、第２の端子板の間に、可動接点を設けた可動バネを設け、電磁コイルの励磁、非励磁によって可動バネを作動させることで、可動接点を第１、第２の固定接点に選択的に接触させて、第１、第２の電路を切り換えて閉路するようにした電磁リレーにおいて、可動バネには、第１あるいは第２の端子板のすくなくとも一方側に延びる接点ギャップ調整用突出片を形成していることを特徴とする。
【００１１】
請求項３に記載の電磁リレーは、それぞれに第１、第２の固定接点を設けた第１、第２の端子板の間に、可動接点を設けた可動バネを設け、電磁コイルの励磁、非励磁によって可動バネを作動させることで、可動接点を第１、第２の固定接点に選択的に接触させて、第１、第２の電路を切り換えて閉路するようにした電磁リレーにおいて、第１、第２の端子板のすくなくとも一方には、可動バネ側に延びる、接点ギャップ調整用突出片を形成していることを特徴とする。
【発明の効果】
【００１２】
請求項１〜３に記載の電磁リレーによれば、可動バネ、端子板のすくなくともいずれか、あるいは両方に接点ギャップ用突出片を設けているため、その突出片によって開離時の接点ギャップを目視し、適切な接点ギャップを正常な状態に調整することができる。その結果、接点ギャップを常に正常な間隔に維持することができ、リレーオフ時のリバウンドや接点間の耐圧不良などの不具合の発生を防止することができる。
【発明を実施するための最良の形態】
【００１３】
以下に、本発明の実施の形態について、図面を参照しながら説明する。
【実施例１】
【００１４】
図１には、ｃ接点に適用した本発明の電磁リレーの（ａ）平面図と（ｂ）正面図とを示している。
【００１５】
電磁リレーは、以下に説明する構成要素を含んで、絶縁ベース１７上に構成され、その全体をカバーケース（不図示）で覆われたユニット体として形成される。
【００１６】
図において、１は第１の固定接点、２は第２の固定接点、３は可動接点である。可動接点３は、第１の固定接点１用の接点３ａと、第２の固定接点２用の接点３ｂとを有している。第１、第２の固定接点１、２はそれぞれ第１、第２の端子板４、５に設けられており、可動接点３は可動バネ６に設けられている。
【００１７】
可動バネ６の一端には、第２の端子板５側に延びた矩形状の接点ギャップ調整用突出片１０が形成されており、第１の固定接点１側に弾性力を付勢した可動バネ６にはバネ作動片１１が連結され、バネ作動片１１は、電磁石ブロック１３の継鉄１４に回動可能に支持された作動片１２に結合されている。
【００１８】
第１、第２の端子板４、５および可動バネ６は、ベース１７上に載置された台座１６に固定されており、それぞれが第１、第２の端子板４、５および可動バネ６に接続された第１、第２の電路端子７、８および共通端子９がベース１７より下方より突出させている。
【００１９】
また、電磁石ブロック１３は、電磁コイル１３ａを巻装したボビンを継鉄１４に固定しており、作動片１２は回動中心１２ａを中心として回動可能に支持されている。なお、１５は電磁コイルに通電するためにベース１７の下方に突出させたコイル端子である。
【００２０】
次に、接点間の接離動作について説明する。
【００２１】
電磁石ブロック１３内の電磁コイル１３ａが通電され励磁されると、作動片１２がその下方に位置した継鉄１４側に吸引されるので、それによって作動片１２はバネ可動片１１を矢印Ａ方向に移動し、それによって可動バネ６に設けた可動接点３ａは第１の固定接点１から離れて第１の電路が開き、可動接点３ｂが第２の固定接点２と接触して、第２の電路が閉路される。
【００２２】
次に電磁コイル１３ａへの通電が遮断され、非励磁状態に戻ると、可動バネ６の弾性力によって作動片１２が元の位置に戻り、それによってバネ可動片１１の可動バネ６への押圧動作が解除されて、可動接点３ｂは第２の固定接点２から離れて第２の電路は開かれ、可動接点３ａが第１の固定接点１と接触状態に戻って、第１の電路は閉路される。
【００２３】
このようにして、この電磁リレーは、励磁、非励磁により可動バネ６を移動させることで、可動接点３を第１、第２の固定接点１、２に選択的に接触させて、２つの電路が切り換え可能に閉路される。
【００２４】
次に、本発明の特徴である、接点キャップ調整用突出片１０について説明する。
【００２５】
突出片１０は、設計通りの正しい接点ギャップを計測するためのゲージとして機能する。接点ギャップを正常な間隔に維持することは、接点間の接触時のリバウンドや接点間の耐圧不良などの不具合が発生させないために重要な設計事項であるが、本発明では、例えば、図１の例では、可動バネ６の上側縁６ａに第２の端子板５側に延出形成した突出片１０の長さＸを基準として、突出片１０の端縁１０ａと、非励磁状態で開離状態にある第２の固定接点２との間隔の広狭、不均一などを目視によって判断することができるので、励磁状態における開離した可動接点３と第１の固定接点１との接点ギャップ、および、非励磁状態における開離した可動接点３と第２の固定接点２との接点ギャップを常に正しい間隔を維持させることができる。
【００２６】
図２は、ｃ接点構成の電磁リレーに適用した別例を示した図であり、本図では要部のみを示している。
【００２７】
図２（ａ）は可動バネ６の両端に、それぞれ異なる方向に延びる突出片１０Ａ、１０Ｂを設けているので、一方の突出片１０Ａにより第２の固定接点２との接点ギャップを計測できるとともに、他方の突出片１０Ｂによりノーマルクローズ側である第１の固定接点１との接点ギャップも計測することが可能である。
【００２８】
図２（ｂ）、（ｃ）は、固定端子板側に突出片を設けた例を示している。（ｂ）は第２の固定端子板５のみに突出片１０Ｃを設けた例、（ｃ）は第１、第２の端子板４、５の双方に突出片１０Ｄ、１０Ｃを設けた例である。いずれの場合も、突出片１０Ｃ（１０Ｄ）の端縁１０ａと、可動接点３ｂ（３ａ）との位置関係によって接点ギャップが計測できる。なお、図中の他の符号は、図１の構成と同様であるため説明を省略する。
【実施例２】
【００２９】
図３（ａ）、（ｂ）は、ａ接点、ｂ接点に対応させた本発明の電磁リレーの説明図である。なお、本図では要部のみを示している。
【００３０】
ａ接点構成の場合、可動接点３と固定接点１との接点ギャップは、可動バネ６に設けた突出片１０によって計測する。このものは、ノーマルオープンタイプであるから、接点間が開離状態にある電磁コイルの非励磁時に接点ギャップを計測、調整すればよい。
【００３１】
ｂ接点構成の場合も同様に、可動接点３と固定接点１との接点ギャップを、可動バネ６に設けた突出片１０によって計測する。このものは、ノーマルクローズタイプであるから、電磁コイルを励磁して接点間を開離した状態にして、その状態で接点ギャップを計測、調整すればよい。
【００３２】
なお、上記いずれの場合も、突出片１０を可動バネ６に設けているが、端子板４に設けてもよい。
【００３３】
図４（ａ）、（ｂ）、（ｃ）は、ａ接点、ｂ接点、ｃ接点を有した電磁リレーの非励磁時における接点状態を示す概念図である。
【００３４】
ａ接点構成は、電磁コイルが非励磁のときは接点が開いており、励磁すると閉じる、ノーマルオープンタイプの接点構成である。また、ｂ接点構成は、電磁コイルが非励磁のときは端子が閉じており、励磁すると開く、ノーマルクローズタイプの接点構成である。
【００３５】
更に、ｃ接点構成では、共通端子Ｔｓと、第１、第２の固定端子Ｔａ、Ｔｂとで構成され、電磁コイルが非励磁のときは第１の固定端子と共通端子が閉じて、第２の固定端子と共通端子が開いた状態にあるので、第１の電路のみが閉じており、励磁すると、第１の固定端子と共通端子が開き、第２の固定端子と共通端子が閉じるので、切換わって第２の電路のみが閉じる。
【図面の簡単な説明】
【００３６】
【図１】本発明が適用された、ｃ接点を有した電磁リレーの（ａ）平面図、（ｂ）正面図である。
【図２】本発明が適用された、電磁リレーの接点構造を示す図である。
【図３】（ａ），（ｂ）は本発明が適用されたａ接点、ｂ接点を有した電磁リレーの説明図である。
【図４】電磁リレーに適用されるａ接点、ｂ接点、ｃ接点の基本構成を示す概念説明図である。
【図５】ｃ接点を有した従来の電磁リレーの（ａ）平面図、（ｂ）正面図である。
【符号の説明】
【００３７】
１      第１の固定接点
２      第２の固定接点
３      可動接点
４      第１の端子板
５      第２の端子板
６      可動バネ
７      第１の電路端子
８      第２の電路端子
９      共通端子
１０      接点ギャップ調整用突出片
１０ａ      突出片の端縁
１１      バネ可動片
１２      作動片
１３      電磁石ブロック
【図１】
2006331726.tif 000003
【図２】
2006331726.tif 000004
【図３】
2006331726.tif 000005
【図４】
2006331726.tif 000006
【図５】
2006331726.tif 000007